【手続補正書】
【提出日】平成24年6月20日(2012.6.20)
【手続補正１】
【補正対象書類名】特許請求の範囲
【補正対象項目名】全文
【補正方法】変更
【補正の内容】
【特許請求の範囲】
【請求項１】
制御された環境内における複数のシステムコンポーネントをコンピュータに管理させるためのコンピュータのメモリデバイスに格納されたグラフィカルユーザインターフェースであって、該コンピュータは、該メモリデバイスと、プロセッサと、ディスプレイとを含み、該コンピュータは、ネットワークによって、該複数のシステムコンポーネントに接続されており、
該グラフィカルユーザインターフェースは、
制御オブジェクトの第１のセットであって、該制御オブジェクトは、該メモリデバイス内に格納されたデータオブジェクトであり、該制御オブジェクトの第１のセットのそれぞれの制御オブジェクトは、該制御された環境内における複数のシステムコンポーネントのうちの一つ以上のシステムコンポーネントに対する制御オプションを含み、該ディスプレイ上に表示されたアイコンの第１のセットにおけるそれぞれのアイコンにより表され、該制御オブジェクトの第１のセットのうちの第１の制御オブジェクトは、共通属性を有するシステムコンポーネントのグループに基づいて、該複数のシステムコンポーネントのうちの１つよりも多くのシステムコンポーネントを含むシステムコンポーネントのグループの制御を統合するように実行可能である制御オプションを含み、該複数のシステムコンポーネントのそれぞれのシステムコンポーネントは、少なくとも１つの出力動作または機能を実行可能な出力コンポーネントを含む、制御オブジェクトの第１のセットと、
該グラフィカルユーザインターフェースのコンポーネント制御部分であって、該コンポーネント制御部分は、ユーザが一つ以上の制御オブジェクトを表す一つ以上のアイコンを該ディスプレイ上で強調したことに応答して、起動された該制御オブジェクトの第１のセットからの一つ以上の制御オブジェクトに対する制御オプションを表すアイコンを表示するための該ディスプレイの部分に関連付けられており、該一つ以上の制御オブジェクトの起動は、該ディスプレイに、起動信号をプロセッサへと送信させ、該プロセッサは、該メモリデバイスから少なくとも１つのシステムコンポーネントに対する該制御オプションを引き出すことにより、該起動信号を受信することに応答して該少なくとも１つのシステムコンポーネントを選択し、該プロセッサは、該ディスプレイに、該グラフィカルユーザインターフェースの該コンポーネント制御部分に関連付けられた該ディスプレイの該部分内に該引き出された制御オプションを表すアイコンを表示させ、該引き出された制御オプションのそれぞれの制御オプションが、該ディスプレイへの該ユーザからの入力に応答して該プロセッサによって実行可能な一連のコマンドを含み、該一連のコマンドのそれぞれのコマンドは、該プロセッサによって実行されたときに、該プロセッサに、それぞれの選択されたシステムコンポーネントの該出力コンポーネントの該少なくとも１つの出力動作または機能を制御するための命令を該少なくとも１つの選択されたシステムコンポーネントへと送信させる、コンポーネント制御部分と
を備える、グラフィカルユーザインターフェース。
【請求項２】
制御オブジェクトの第２のセットをさらに備え、
該制御オブジェクトの第２のセットのそれぞれの制御オブジェクトは、前記メモリデバイス内に格納されたデータオブジェクトであり、前記少なくとも１つの選択されたシステムコンポーネントに入力を提供可能な一つ以上の提携システムコンポーネントに対する制御オプションを含み、該制御オブジェクトの第２のセットは、前記グラフィカルユーザインターフェース内のアイコンの第２のセットにより表され、
該第２のセットからの制御オブジェクトのユーザによる起動が、該制御オブジェクトを表すアイコンを前記ディスプレイ上で強調することを含み、
該第２のセットからの該制御オブジェクトの起動は、該ディスプレイに、提携起動信号を前記プロセッサへと送信させ、
該プロセッサは、該メモリデバイスから提携システムコンポーネントに対する該制御オプションを引き出すことにより、該提携起動信号を受信することに応答して提携システムコンポーネントを選択し、
該プロセッサは、該ディスプレイに、該起動された制御オブジェクトに関連付けられた該選択された提携システムコンポーネントに対する該引き出された制御オプションを表すアイコンを表示させ、
該提携システムコンポーネントに対する複数の制御オプションのそれぞれの制御オプションが、該ディスプレイへの該ユーザからの入力に応答して該プロセッサによって実行可能な一連のコマンドに関連付けられており、
該一連のコマンドのそれぞれのコマンドは、該プロセッサによって実行されたときに、該プロセッサに、該選択された提携システムコンポーネントの少なくとも１つの出力動作または機能を制御するための命令を該選択された提携システムコンポーネントへと送信させる、請求項１に記載のグラフィカルユーザインターフェース。
【請求項３】
前記制御オブジェクトの第１のセットが、前記制御された環境内における複数の領域を表し、それぞれの領域が一つ以上のシステムコンポーネントを含む、請求項１に記載のグラフィカルユーザインターフェース。
【請求項４】
前記起動された制御オブジェクトにより表される前記複数の領域の１つの領域内における利用可能なシステムコンポーネントを表す制御オブジェクトの第２のセットをさらに備え、
該起動された制御オブジェクトは、該複数の領域の該１つの領域内の一つ以上のシステムコンポーネントに対する制御オプションを含み、
該制御オブジェクトの第２のセットのそれぞれの制御オブジェクトは、該利用可能なシステムコンポーネントの１つのシステムコンポーネントに関連付けられた前記メモリデバイス内に格納されたデータオブジェクトであり、該複数の領域の該１つの領域内の該利用可能なシステムコンポーネントの該１つのシステムコンポーネントに対する制御オプションを含み、
前記第１のセットからの制御オブジェクトの前記ユーザによる起動が、該制御オブジェクトを表すアイコンを前記ディスプレイ上で強調することを含み、
該第１のセットからの該制御オブジェクトの起動は、該ディスプレイに、領域起動信号を該プロセッサへと送信させ、
該プロセッサは、該メモリデバイスから該制御オブジェクトの第２のセットを引き出すことにより、該領域起動信号を受信することに応答して該複数の領域の該１つの領域を選択し、
該プロセッサは、該ディスプレイに、該引き出された制御オブジェクトの第２のセットを表すアイコンの第２のセットを表示させ、
該第２のセットからの制御オブジェクトの該ユーザによる起動が、該選択されたシステムコンポーネントを表すアイコンを該ディスプレイ上で強調することを含み、
該第２のセットからの該制御オブジェクトの起動は、該ディスプレイに、該プロセッサへとコンポーネント起動信号を送信させ、
該コンポーネント起動信号は、該選択された領域内の該利用可能なシステムコンポーネントの１つのシステムコンポーネントを表し、
該プロセッサは、該メモリデバイスから該選択された領域内の該利用可能なシステムコンポーネントの該１つのシステムコンポーネントに対する該制御オプションを引き出すことにより、該コンポーネント起動信号を受信することに応答して該利用可能なシステムコンポーネントの該１つのシステムコンポーネントを選択し、
該プロセッサは、該ディスプレイに、該領域内の該利用可能なコンポーネントの該選択された１つのシステムコンポーネントに対する該引き出された制御オプションを表すアイコンを表示させる、請求項３に記載のグラフィカルユーザインターフェース。
【請求項５】
前記制御オブジェクトの第１のセットが、前記制御された環境内における複数のコンポーネントタイプを表す、請求項１に記載のグラフィカルユーザインターフェース。
【請求項６】
前記制御された環境内において利用可能な領域を表す制御オブジェクトの第２のセットをさらに備え、
前記起動された制御オブジェクトは、前記複数のコンポーネントタイプの１つのコンポーネントタイプのシステムコンポーネントに対する制御オプションを含み、
該制御オブジェクトの第２のセットのそれぞれの制御オブジェクトは、前記メモリデバイス内に格納されたデータオブジェクトであり、複数の利用可能な領域の１つの領域内のシステムコンポーネントに対する制御オプションを含み、
該複数の利用可能な領域のそれぞれの領域が、該複数のコンポーネントタイプの該１つのコンポーネントタイプのうちの一つ以上のシステムコンポーネントを含み、
該第１のセットからの制御オブジェクトの前記ユーザによる起動が、該複数のコンポーネントタイプの該１つのコンポーネントタイプを表すアイコンを前記ディスプレイ上で強調することを含み、
該第１のセットからの該制御オブジェクトの起動は、該ディスプレイに、タイプ起動信号を該プロセッサへと送信させ、
該プロセッサは、該メモリデバイスから該制御オブジェクトの第２のセットを引き出すことにより、該タイプ起動信号を受信することに応答して複数の利用可能な領域を選択し、
該プロセッサは、該ディスプレイに、該制御オブジェクトの第２のセットを表すアイコンの第２のセットを表示させ、
該第２のセットからの制御オブジェクトの該ユーザによる起動が、該選択されたシステムコンポーネントを表すアイコンを該ディスプレイ上で強調することを含み、
該第２のセットからの該制御オブジェクトの起動は、該ディスプレイに、領域起動信号を該プロセッサへと送信させ、
該領域起動信号は、該複数の利用可能な領域の１つの領域を表し、
該プロセッサは、該メモリデバイスから該制御オブジェクトの第２のセットの該起動された制御オブジェクトにより表される領域内の該一つ以上のシステムコンポーネントに対する制御オプションを引き出すことにより、該領域起動信号を受信することに応答して領域を選択し、
該プロセッサは、該ディスプレイに、該選択された領域内の該一つ以上のシステムコンポーネントに対する該引き出された制御オプションを表すアイコンを表示させ、
該選択された領域内の該一つ以上のシステムコンポーネントは、該複数のコンポーネントタイプの該１つのコンポーネントタイプのものである、請求項５に記載のグラフィカルユーザインターフェース。
【請求項７】
前記メモリデバイス内に格納されたスイッチオブジェクトをさらに備え、
該スイッチオブジェクトは、前記ディスプレイへのユーザからの入力に応答して前記プロセッサにより実行可能な全体的なコマンドを含み、
該全体的なコマンドの実行が、該プロセッサに、指定されたシステムコンポーネントのオン−オフ状態を変更する命令を送信させ、
前記第１のセットからの一つ以上の制御オブジェクトの該ユーザによる起動が、該一つ以上の制御オブジェクトを表すアイコンを該ディスプレイ上で強調することを含み、
該第１のセットからの該一つ以上の制御オブジェクトの起動は、該ディスプレイに、スイッチ起動信号を該プロセッサへと送信させ、
該プロセッサは、該メモリデバイスから該指定されたシステムコンポーネントに対する制御オプションを引き出すことにより、該スイッチ起動信号を受信することに応答して該指定されたシステムコンポーネントを選択し、
該プロセッサは、該ディスプレイに、該選択された指定されたシステムコンポーネントを表すアイコンを表示させる、請求項１に記載のグラフィカルユーザインターフェース。
【請求項８】
前記スイッチオブジェクトが、前記ディスプレイへの前記ユーザからの入力に応答して前記プロセッサにより実行可能な前記全体的なコマンドを含み、
該全体的なコマンドの実行が、該プロセッサに、前記指定されたシステムコンポーネントのオン−オフ状態を変更する命令を送信させ、
該指定されたシステムコンポーネントは、指定されたコンポーネントタイプに一致し、
該第１のセットからの制御オブジェクトの該ユーザによる起動が、該制御オブジェクトを表すアイコンを該ディスプレイ上で強調することを含み、
該第１のセットからの該制御オブジェクトの起動は、該ディスプレイに、前記スイッチ起動信号を該プロセッサへと送信させ、
該スイッチ起動信号は、該指定されたコンポーネントタイプを表し、
該プロセッサは、該ディスプレイに、該選択された指定されたシステムコンポーネントを表すアイコンを表示させる、請求項７に記載のグラフィカルユーザインターフェース。
【請求項９】
前記スイッチオブジェクトが、前記ユーザからの入力に応答して前記プロセッサによって実行可能な前記全体的なコマンドを含み、
該全体的なコマンドの実行が、該プロセッサに、前記指定されたシステムコンポーネントのオン−オフ状態を変更する命令を送信させ、
該指定されたシステムコンポーネントは、前記制御された環境内における指定された領域内に配置され、
該第１のセットからの前記制御オブジェクトの該ユーザによる起動が、該制御オブジェクトを表すアイコンを前記ディスプレイ上で強調することを含み、
該第１のセットからの該制御オブジェクトの起動は、該ディスプレイに、前記スイッチ起動信号を該プロセッサへと送信させ、
該指定されたシステムコンポーネントは、該指定された領域内にあり、
該プロセッサは、該ディスプレイに、前記選択された指定されたコンポーネントを表すアイコンを表示させる、請求項７に記載のグラフィカルユーザインターフェース。
【請求項１０】
前記全体的なコマンドから、一つ以上の特定のシステムコンポーネント、特定のコンポーネントタイプと一致する一つ以上のシステムコンポーネント、および前記制御された環境内における特定の領域内に位置した一つ以上のシステムコンポーネントのうちの少なくとも一つを免じる除外手段をさらに備え、
前記全体的なコマンドの実行が、前記プロセッサに、該免じられた一つ以上のシステムコンポーネントのオン−オフ状態を変更する命令を送信させない、請求項７に記載のグラフィカルユーザインターフェース。
【請求項１１】
一つ以上の提携システムコンポーネントおよび主システムコンポーネントのうちで、入力または出力リンク、あるいは、依存性を特定し、該主システムコンポーネントおよび該一つ以上の提携システムコンポーネントを含む一連のシステムコンポーネントを確立するためのデバイス定義手段をさらに備え、
該主システムコンポーネントが、前記プロセッサが前記制御オブジェクトの第１のセットからの主制御オブジェクトの前記制御オプションのコマンドを実行することにより制御可能である、請求項１に記載のグラフィカルユーザインターフェース。
【請求項１２】
前記主制御オブジェクトの前記ユーザによる起動が、前記ディスプレイに、前記ユーザが前記プロセッサにコマンドを実行させる制御オプションを表すアイコンを表示させ、
該コマンドの実行が、該プロセッサに、該ディスプレイへの該ユーザからの入力に応答して前記一連のシステムコンポーネントの動作または機能を制御するための命令を送信させる、請求項１１に記載のグラフィカルユーザインターフェース。
【請求項１３】
制御された環境内における複数のシステムコンポーネントを管理する方法であって、該方法は、ディスプレイおよびメモリデバイスに結合されたプロセッサを備えるシステムにより実行され、該システムは、ネットワークによって該複数のシステムコンポーネントに接続されており、
該方法は、
該プロセッサが、該ディスプレイに、制御オブジェクトの第１のセットを表すアイコンの第１のセットを表示させることであって、該制御オブジェクトの第１のセットのそれぞれの制御オブジェクトは、該アイコンの第１のセットのそれぞれのアイコンによって表され、該制御オブジェクトの第１のセットのうちの第１の制御オブジェクトは、共通属性を有するシステムコンポーネントのグループに基づいて、該複数のシステムコンポーネントのうちの１つよりも多くのシステムコンポーネントを含むシステムコンポーネントのグループの制御を該プロセッサに統合させるように実行可能である制御オプションを含み、該制御オブジェクトの第１のセットのそれぞれの制御オブジェクトが、該メモリデバイス内に格納されたデータオブジェクトであり、該制御された環境内における該複数のシステムコンポーネントのうちの一つ以上のシステムコンポーネントに対する制御オプションを含み、該複数のシステムコンポーネントのそれぞれのシステムコンポーネントは、少なくとも１つの出力動作または機能を実行可能な出力コンポーネントを含む、ことと、
該プロセッサが、該メモリデバイスから該少なくとも１つのシステムコンポーネントに対する該制御オプションを引き出すことにより、該ディスプレイから起動信号を受信することに応答して、少なくとも１つのシステムコンポーネントを選択することであって、該起動信号は、該制御オブジェクトの第１のセットからの制御オブジェクトに関連し、該制御オブジェクトを表すアイコンが該ディスプレイ上で強調されたときに該プロセッサへと送信される、ことと、
該プロセッサが、該ディスプレイに、該少なくとも１つの選択されたシステムコンポーネントに対する該引き出された制御オプションを表すアイコンを表示させることと、
それぞれの制御オプションを、該ディスプレイへのユーザからの入力に応答して該プロセッサにより実行可能な一連のコマンドに関連付けることと
を包含し、
該一連のコマンドのそれぞれのコマンドは、該プロセッサによって実行されたときに、該プロセッサに、それぞれの選択されたシステムコンポーネントの該出力コンポーネントの該少なくとも１つの出力動作または機能を制御するための命令を該少なくとも１つの選択されたシステムコンポーネントへと送信させる、方法。
【請求項１４】
前記プロセッサが、前記ディスプレイに、制御オブジェクトの第２のセットを表すアイコンの第２のセットを表示させることをさらに包含し、該制御オブジェクトの第２のセットのそれぞれの制御オブジェクトは、前記メモリデバイス内に格納されたデータオブジェクトであり、前記少なくとも１つの選択されたシステムコンポーネントに入力を提供可能な一つ以上の提携システムコンポーネントに対する複数の制御オプションを含む、請求項１３に記載の方法。
【請求項１５】
前記プロセッサが、前記ディスプレイに、前記制御オブジェクトの第２のセットからの制御オブジェクトを表す第２の起動信号を該ディスプレイから受信することに応答して、提携システムコンポーネントに対する制御オプションを表すアイコンを表示させることと、
該提携システムコンポーネントに対する前記複数の制御オプションのそれぞれの制御オプションを、該ディスプレイへの前記ユーザからの入力に応答して該プロセッサにより実行可能な一連のコマンドに関連付けることと
をさらに包含し、
該一連のコマンドのそれぞれのコマンドは、該プロセッサによって実行されたときに、該プロセッサに、該提携システムコンポーネントの少なくとも１つの動作または機能を制御するための命令を該少なくとも１つの選択されたシステムコンポーネントへと送信させる、請求項１４に記載の方法。
【請求項１６】
前記プロセッサが、提携システムコンポーネントを前記少なくとも１つの選択されたシステムコンポーネントにリンクさせ、前記ディスプレイ上で前記ユーザが該提携システムコンポーネントをさらに見ることから、該提携システムコンポーネントを隠すために、該ディスプレイに、制御オプションを表すアイコンを表示させることをさらに包含する、請求項１４に記載の方法。
【請求項１７】
前記制御オブジェクトの第１のセットが複数の領域を表し、それぞれの領域が、前記制御された環境内における一つ以上のシステムコンポーネントを含む、請求項１３に記載の方法。
【請求項１８】
前記選択するステップが、
前記プロセッサが、前記メモリデバイスから制御オブジェクトの第２のセットを引き出すことにより、前記制御オブジェクトの第１のセットからの制御オブジェクトに関連付けられた領域起動信号を受信することに応答して、前記複数の領域から１つの領域を選択するステップであって、該制御オブジェクトの第２のセットのそれぞれの制御オブジェクトは、該メモリデバイス内に格納されたデータオブジェクトであり、該選択された領域内のシステムコンポーネントに対する制御オプションを含む、ステップと、
該プロセッサが、前記ディスプレイに、該制御オブジェクトの第２のセットを表すアイコンの第２のセットを表示させるステップであって、該アイコンの第２のセットのそれぞれのアイコンは、該選択された領域内の利用可能なシステムコンポーネントを表す、ステップと、
該プロセッサが、該メモリデバイスから該システムコンポーネントに対する該制御オプションを引き出すことにより、該ディスプレイからコンポーネント起動信号を受信することに応答して、該システムコンポーネントを選択するステップであって、該コンポーネント起動信号は、該第２のセットからの制御オブジェクトに関連する、ステップと
を包含する、請求項１７に記載の方法。
【請求項１９】
前記制御オブジェクトの第１のセットが、前記制御された環境内における複数のコンポーネントタイプを表す、請求項１３に記載の方法。
【請求項２０】
前記選択するステップが、
前記プロセッサが、前記メモリデバイスから制御オブジェクトの第２のセットを引き出すことにより、前記制御オブジェクトの第１のセットに関連付けられたタイプ起動信号を受信することに応答して、コンポーネントタイプを選択するステップであって、該制御オブジェクトの第２のセットのそれぞれの制御オブジェクトは、該メモリデバイス内に格納されたデータオブジェクトであり、前記制御された環境内における複数の利用可能な領域の１つの領域内の一つ以上のシステムコンポーネントに対する制御オプションを含む、ステップと、
該プロセッサが、前記ディスプレイに、該制御オブジェクトの第２のセットを表すアイコンの第２のセットを表示させるステップであって、該アイコンの第２のセットのそれぞれのアイコンは、該複数の利用可能な領域の１つの領域を表し、該複数の利用可能な領域のそれぞれの領域は、該制御された環境内における、該選択されたコンポーネントタイプの一つ以上のシステムコンポーネントを含む、ステップと、
該プロセッサが、該メモリデバイスから該システムコンポーネントに対する該制御オプションを引き出すことにより、該ディスプレイから領域起動信号を受信することに応答して、該システムコンポーネントを選択するステップであって、該領域起動信号は、該制御オブジェクトの第２のセットに関連する、ステップと
を包含する、請求項１９に記載の方法。
【請求項２１】
システムコンポーネントを指定するために、前記制御オブジェクトの第１のセットから一つ以上の制御オブジェクトを起動することであって、該制御オブジェクトの第１のセットからの一つ以上の制御オブジェクトを起動することは、該一つ以上の制御オブジェクトを表す一つ以上のアイコンを前記ディスプレイ上で強調することを含み、該制御オブジェクトの第１のセットからの一つ以上の制御オブジェクトを起動することは、前記ディスプレイに、スイッチ起動信号を前記プロセッサへと送信させ、該スイッチ起動信号は、該制御オブジェクトの第１のセットからの該一つ以上の制御オブジェクトに関連し、該プロセッサは、前記メモリデバイスから該制御オブジェクトの第１のセットの該一つ以上の制御オブジェクトに対する制御オプションを引き出すことにより、該スイッチ起動信号を受信することに応答してスイッチオブジェクトを選択し、該ディスプレイに、該スイッチオブジェクトに対する該引き出された制御オプションを表すアイコンを表示させる、ことをさらに包含し、
該スイッチオブジェクトが前記ユーザにより起動された場合、該プロセッサは、該指定されたシステムコンポーネントに対する全体的なコマンドを実行し、
該全体的なコマンドを実行することは、該プロセッサが、該指定されたシステムコンポーネントのオン−オフ状態を変更するための命令を送信することを含む、請求項１３に記載の方法。
【請求項２２】
コンポーネントタイプを指定するために、前記制御オブジェクトの第１のセットから一つ以上の制御オブジェクトを起動することであって、該制御オブジェクトの第１のセットからの該一つ以上の制御オブジェクトは、該指定されたコンポーネントタイプを表し、該制御オブジェクトの第１のセットからの一つ以上の制御オブジェクトを起動することは、該一つ以上の制御オブジェクトを表す一つ以上のアイコンを前記ディスプレイ上で強調することを含み、該制御オブジェクトの第１のセットからの一つ以上の制御オブジェクトを起動することは、該ディスプレイに、スイッチ起動信号を前記プロセッサへと送信させ、該スイッチ起動信号は、該制御オブジェクトの第１のセットからの該一つ以上の制御オブジェクトに関連し、該プロセッサは、前記メモリデバイスから該制御オブジェクトの第１のセットの該一つ以上の制御オブジェクトに対する制御オプションを引き出すことにより、該スイッチ起動信号を受信することに応答してスイッチオブジェクトを選択し、該ディスプレイに、該スイッチオブジェクトに対する該引き出された制御オプションを表すアイコンを表示させる、ことをさらに包含し、
該スイッチオブジェクトが前記ユーザにより起動された場合、該プロセッサは、該指定されたコンポーネントタイプに一致する一つ以上のシステムコンポーネントに対する全体的なコマンドを実行し、
該全体的なコマンドを実行することは、該プロセッサが、該コンポーネントタイプに一致する一つ以上のシステムコンポーネントのオン−オフ状態を変更するための命令を送信することを含む、請求項１３に記載の方法。
【請求項２３】
前記制御された環境内における領域を指定するために、前記制御オブジェクトの第１のセットから一つ以上の制御オブジェクトを起動することであって、該一つ以上の制御オブジェクトは、該指定された領域を表し、該制御オブジェクトの第１のセットからの一つ以上の制御オブジェクトを起動することは、該一つ以上の制御オブジェクトを表す一つ以上のアイコンを前記ディスプレイ上で強調することを含み、該制御オブジェクトの第１のセットからの一つ以上の制御オブジェクトを起動することは、該ディスプレイに、スイッチ起動信号を前記プロセッサへと送信させ、該スイッチ起動信号は、該制御オブジェクトの第１のセットからの該一つ以上の制御オブジェクトに関連し、該プロセッサは、前記メモリデバイスから該制御オブジェクトの第１のセットの該一つ以上の制御オブジェクトに対する制御オプションを引き出すことにより、該スイッチ起動信号を受信することに応答してスイッチオブジェクトを選択し、該ディスプレイに、該スイッチオブジェクトに対する該引き出された制御オプションを表すアイコンを表示させる、ことをさらに包含し、
該スイッチオブジェクトが前記ユーザにより起動された場合、該プロセッサは、該指定された領域内に位置した一つ以上のシステムコンポーネントに対する全体的なコマンドを実行し、
該全体的なコマンドを実行することは、該プロセッサが、該指定された領域内に位置した該一つ以上のシステムコンポーネントのオン−オフ状態を変更する命令を送信することを含む、請求項１３に記載の方法。
【請求項２４】
前記システムコンポーネントを指定するために、前記制御オブジェクトの第１のセットから一つ以上の制御オブジェクトを起動することであって、該制御オブジェクトの第１のセットからの該一つ以上の制御オブジェクトは、該指定されたシステムコンポーネントを表し、該制御オブジェクトの第１のセットからの一つ以上の制御オブジェクトを起動することは、該一つ以上の制御オブジェクトを表す一つ以上のアイコンを前記ディスプレイ上で強調することを含み、該制御オブジェクトの第１のセットからの一つ以上の制御オブジェクトを起動することは、該ディスプレイに、スイッチ起動信号を前記プロセッサへと送信させ、該スイッチ起動信号は、該制御オブジェクトの第１のセットからの該一つ以上の制御オブジェクトに関連し、該プロセッサは、前記メモリデバイスから該制御オブジェクトの第１のセットの該一つ以上の制御オブジェクトに対する制御オプションを引き出すことにより、該スイッチ起動信号を受信することに応答してスイッチオブジェクトを選択し、該ディスプレイに、該スイッチオブジェクトに対する該引き出された制御オプションを表すアイコンを表示させ、該スイッチオブジェクトが前記ユーザにより起動された場合、該プロセッサは、該指定されたシステムコンポーネントに対する全体的なコマンドを実行する、ことと、
該プロセッサが、該全体的なコマンドから、一つ以上の特定のシステムコンポーネント、特定のコンポーネントタイプと一致する一つ以上のシステムコンポーネント、および前記制御された環境内における特定の領域内に位置した一つ以上のシステムコンポーネントのうちの少なくとも一つを免じることと、
該プロセッサが、該免じられた一つ以上のシステムコンポーネントを除いて、全ての指定されたシステムコンポーネントのオン−オフ状態を変更するための命令を送信することにより該全体的なコマンドを実行することと
をさらに包含する、請求項１３に記載の方法。
【請求項２５】
一つ以上の提携システムコンポーネントおよび主システムコンポーネントのうちで、入力または出力リンク、あるいは、依存性を特定し、該主システムコンポーネントおよび該一つ以上の提携システムコンポーネントを含む一連のシステムコンポーネントを確立することをさらに包含し、
該主システムコンポーネントが、前記制御オブジェクトの第１のセットからの主制御オブジェクトの制御オプションにより制御可能な出力動作または機能を実行する、請求項１３に記載の方法。
【請求項２６】
前記主制御オブジェクトのユーザによる起動が、前記プロセッサに、前記一連のシステムコンポーネントの動作または機能を制御するための命令を該プロセッサに送信させるためのコマンドを該ユーザが実行するための該主制御オブジェクトの前記引き出された制御オプションを表すアイコンを前記ディスプレイに表示させる、請求項２５に記載の方法。
【請求項２７】
プログラムを記録したコンピュータ可読記憶媒体であって、該プログラムは、コンピュータに、制御された環境内における複数のシステムコンポーネントを管理させ、該コンピュータは、メモリデバイスと、プロセッサと、ディスプレイとを含み、該コンピュータは、ネットワークによって該複数のシステムコンポーネントに接続されており、
該管理することは、
ディスプレイが、制御オブジェクトの第１のセットを表すアイコンの第１のセットを表示するプロセスであって、該制御オブジェクトの第１のセットのそれぞれの制御オブジェクトは、該アイコンの第１のセットのそれぞれのアイコンによって表され、該制御オブジェクトの第１のセットのうちの第１の制御オブジェクトは、共通属性を有するシステムコンポーネントのグループに基づいて、該複数のシステムコンポーネントのうちの１つよりも多くのシステムコンポーネントを含むシステムコンポーネントのグループの制御を該プロセッサに統合させるように実行可能である制御オプションを含み、該制御オブジェクトの第１のセットのそれぞれの制御オブジェクトが、該メモリデバイス内に格納されたデータオブジェクトであり、該制御された環境内における該複数のシステムコンポーネントのうちの一つ以上のシステムコンポーネントに対する複数の制御オプションを含み、該複数のシステムコンポーネントのそれぞれのシステムコンポーネントは、少なくとも１つの出力動作または機能を実行可能な出力コンポーネントを含む、プロセスと、
該メモリデバイスから該少なくとも１つのシステムコンポーネントに対する該制御オプションを引き出すことにより、該ディスプレイから起動信号を受信することに応答して、該一つ以上のシステムコンポーネントから少なくとも１つのシステムコンポーネントを選択するプロセスであって、該起動信号は、該制御オブジェクトの第１のセットからの制御オブジェクトに関連し、該制御オブジェクトを表すアイコンが該ディスプレイ上で強調されたときに送信される、プロセスと、
該ディスプレイが、該少なくとも１つの選択されたシステムコンポーネントに対する該引き出された制御オプションを表すアイコンを表示するプロセスと、
該複数の制御オプションのそれぞれの制御オプションを、該ディスプレイへのユーザからの入力に応答して実行可能な一連のコマンドに関連付けるプロセスであって、該一連のコマンドのそれぞれのコマンドは、該プロセッサによって実行されたときに、該コンピュータに、該少なくとも１つの選択されたシステムコンポーネントの出力コンポーネントの少なくとも１つの出力動作または機能を制御するための命令を該少なくとも１つの選択されたシステムコンポーネントへと送信させる、プロセスと
を備える、コンピュータ可読記憶媒体。
【請求項２８】
前記ディスプレイが、制御オブジェクトの第２のセットを表すアイコンの第２のセットを表示するプロセスであって、該制御オブジェクトの第２のセットのそれぞれの制御オブジェクトは、前記メモリデバイス内に格納されたデータオブジェクトであり、前記少なくとも１つの選択されたシステムコンポーネントに入力を提供可能な提携システムコンポーネントに対する制御オプションを含む、プロセスをさらに備える、請求項２７に記載のコンピュータ可読記憶媒体。
【請求項２９】
前記制御オブジェクトの第１のセットが複数の領域を表し、それぞれの領域が前記制御された環境内における一つ以上のシステムコンポーネントを含み、
前記メモリデバイスから制御オブジェクトの第２のセットを引き出すことにより、該制御オブジェクトの第１のセットからの制御オブジェクトに関連付けられた前記ディスプレイからの領域起動信号を受信することに応答して、該複数の領域から１つの領域を選択するプロセスであって、該制御オブジェクトの第２のセットのそれぞれの制御オブジェクトは、前記メモリデバイス内に格納されたデータオブジェクトであり、前記選択された領域内のシステムコンポーネントに対する制御オプションを含む、プロセスと、
該ディスプレイが、該選択された領域内における利用可能なシステムコンポーネントを表すために、該引き出された制御オブジェクトの第２のセットを表すアイコンの第２のセットを表示するプロセスであって、該選択されたシステムコンポーネントが、該第２のセットからの制御オブジェクトに関連付けられたコンポーネント起動信号を受信することに応答して、選択される、プロセスと
をさらに備える、請求項２７に記載のコンピュータ可読記憶媒体。
【請求項３０】
前記制御オブジェクトの第１のセットが、前記制御された環境内における複数のコンポーネントタイプを表し、
前記メモリデバイスから制御オブジェクトの第２のセットを引き出すことにより、該制御オブジェクトの第１のセットに関連付けられたタイプ起動信号を受信することに応答して、該複数のコンポーネントタイプから１つのコンポーネントタイプを選択するプロセスであって、該制御オブジェクトの第２のセットのそれぞれの制御オブジェクトは、該メモリデバイス内に格納されたデータオブジェクトであり、該制御された環境内の複数の利用可能な領域の１つの領域内のシステムコンポーネントに対する制御オプションを含む、プロセスと、
前記ディスプレイが、該制御オブジェクトの第２のセットを表すアイコンの第２のセットを表示するプロセスであって、該アイコンの第２のセットのそれぞれのアイコンは、該複数の利用可能な領域の１つの領域を表し、該複数の利用可能な領域のそれぞれの領域は、該制御された環境内における該選択されたコンポーネントタイプの一つ以上のシステムコンポーネントを含み、該選択されたシステムコンポーネントが、該ディスプレイから該第２のセットに関連付けられた第２の起動信号を受信することに応答して選択される、プロセスと
をさらに備える、請求項２７に記載のコンピュータ可読記憶媒体。